(57)【要約】  本発明は、各々がＬＥＤ構成を担持する直線状のアームと、これら支持アーム間の機械的接続及びこれらアームのＬＥＤ構成間の電気的接続を提供する接続部から形成されるフレーム形状を有する、ＬＥＤ照明器具を提供する。フレーム形状は、対流により冷却を助ける中央開口部を有し、低コストの押出プロセスを用いて製造されることができる。
2021510915.tif 000002
【特許請求の範囲】
【請求項１】
ＬＥＤドライバユニットと、
前記ＬＥＤドライバユニットから外方に延びる直線状の第１の支持アームであって、該第１の支持アームが前記ＬＥＤドライバユニットに接続する側の近位の第１の端部と、遠位の第２の端部とを有する、第１の支持アームと、
前記第１の支持アームに設けられる第１のＬＥＤ構成と、
前記ＬＥＤドライバユニットから外方に延びる直線状の第２の支持アームであって、該第２の支持アームが前記ＬＥＤドライバユニットに接続する側の近位の第１の端部と、遠位の第２の端部とを有し、前記第１の支持アームの前記第1の端部及び前記第２の支持アームの前記第１の端部は離間している、第２の支持アームと、
前記第２の支持アームに設けられる第２のＬＥＤ構成と、
前記第１の支持アームの前記遠位の第２の端部及び前記第２の支持アームの前記遠位の第２の端部間の接続セクションであって、前記第１の支持アーム及び前記第２の支持アーム間の機械的接続、並びに、前記第１のＬＥＤ構成及び前記第２のＬＥＤ構成間の電気的接続を提供する、接続セクションと、
を備える、ＬＥＤ照明器具であって、
前記第１の支持アーム及び前記第２の支持アームは、それらの長さに沿って一定の断面形状を有し、
前記接続セクションは、支持アーム間にフィットする少なくとも１つのアダプタエルボを備え、
前記第１の支持アーム及び前記第２の支持アームの少なくとも１つは、前記アダプタエルボ内で回転可能であり、前記アダプタエルボ及び前記ＬＥＤドライバユニットへの電気的接続は、相対的な回転を可能にする、照明器具。
【請求項２】
前記第１の支持アーム及び前記第２の支持アームは、押出金属で形成される、請求項１に記載の照明器具。
【請求項３】
前記第１の支持アーム及び前記第２の支持アームは、押出アルミニウムで形成される、請求項２に記載の照明器具。
【請求項４】
前記少なくとも１つのアダプタエルボは、射出成形ハウジング又はダイキャスト金属ハウジングを備える、請求項１に記載の照明器具。
【請求項５】
前記接続セクションは、２つのアダプタエルボと、前記２つのアダプタエルボ間に延びる直線状の第３の支持アームとを備え、第３のＬＥＤ構成が、前記第３の支持アームに設けられる、請求項１乃至４のいずれか一項に記載の照明器具。
【請求項６】
各ＬＥＤ構成はＬＥＤのアレイを備え、レンズが各ＬＥＤの上にある又はレンズプレートがＬＥＤのアレイの上にある、請求項１乃至５のいずれか一項に記載の照明器具。
【請求項７】
前記レンズ又は前記レンズプレートは、押出構造を有する、請求項６に記載の照明器具。
【請求項８】
前記レンズ又は前記レンズプレートは、シリコンシールを使用して前記ＬＥＤ構成の上に取り付けられる、請求項６又は７に記載の照明器具。
【請求項９】
前記第１の支持アーム及び前記第２の支持アームは、共通平面内に位置し、前記第１のＬＥＤ構成及び前記第２のＬＥＤ構成は各々、前記平面に垂直な方向から角度方向に離間した主光出力方向を有する、請求項１乃至８のいずれか一項に記載の照明器具。
【請求項１０】
道路灯照明器具を含む、請求項１乃至９のいずれか一項に記載の照明器具。
【請求項１１】
前記ＬＥＤドライバユニットは、ドライバ回路を収容するハウジングを備え、前記ハウジングは、ランプポスト固定ユニットを備える、請求項１０に記載の照明器具。
【請求項１２】
ＬＥＤドライバユニットと、
ＬＥＤ構成が支持アームに設けられる、直線状の支持アームのセットと、
隣接する支持アーム間の機械的接続及び前記隣接する支持アームのＬＥＤ構成間の電気的接続を提供するためのアダプタエルボのセットと、
を含む、モジュラー照明器具システムであって、
当該モジュラー照明器具システムは、請求項１乃至１１のいずれか一項に記載の照明器具を作成するように構成可能である、モジュラー照明器具システム。
【請求項１３】
前記直線状の支持アームの少なくとも１つは、その細長軸を中心に回転可能である、請求項１２に記載のモジュラー照明器具システム。
【発明の詳細な説明】
【技術分野】
【０００１】
本発明は、ＬＥＤ照明器具に関する。
【背景技術】
【０００２】
蛍光灯をベースにした照明器具等、従来の照明器具をＬＥＤ照明器具が置き換えることが増えている。一例は、道路灯照明器具である。
【０００３】
通常、ＬＥＤ道路灯照明器具は、大きくて重いダイキャストハウジングを使用している。目的は、衝撃から照明器具を保護するためのある強さだけではなく、十分な放熱性能も提供することである。
【０００４】
道路照明器具からの配光は、厳しい条件に合致しなければならず、これは、光学レンズも必要とされることを意味する。例えば、典型的なＬＥＤ道路灯照明器具では、所要の配光を実現するために各ＬＥＤチップの上にいわゆる「ピーナッツレンズ」（中央に腰部を有するドーム状のレンズ）を使用している。
【発明の概要】
【発明が解決しようとする課題】
【０００５】
各ＬＥＤチップを１つのレンズとマッチングさせるために、ＬＥＤは、まばらに配置されなければならず、これは、ＬＥＤボードを非常に大きくする。結果として、レンズ及びハウジングは大きくなり、これは、照明器具を大きく重くするだけではなく、コストも関わってくる。レンズが射出成形により製作される場合、所要のサイズが大きくなる結果、製造はより難しくなり、高価になる。
【０００６】
また、照明出力(lighting power)等の照明器具の要件が異なると、ダイキャスト及び射出成形の金型が異なる、異なるサイズの照明器具が必要になるという課題もある。
【０００７】
ＵＳ ２０１３／０１３５８５７号は、シート体から延びる管状体上にＬＥＤが設けられるＬＥＤ道路ランプを開示している。これは、改善された放熱を提供するために管状体の間の空間を通る空気の流れを有するＵ字形の管状体の形態をとり得る。しかしながら、この構造は、製造が高価であり、デザインを異なる要件にスケーリングすることが困難である。
【０００８】
ＵＳ ２０１７／０２６８７５９号は、２つの直線セグメントと、２つの直線セグメントの間に配置される曲線セグメントとを有する湾曲ランプ管と、複数のＬＥＤが載置される少なくとも１つの可撓性基板と、湾曲ランプ管の曲線セグメントの内面に形成される少なくとも１つの位置決めピラーとを含む、湾曲ＬＥＤ管状ランプであって、２つの直線セグメント及び曲線セグメントは各々、その中に配置されるＬＥＤを有し、可撓性基板は、少なくとも曲線セグメント内に配置される、湾曲ＬＥＤ管状ランプを開示している。
【０００９】
ＵＳ ２０１３／０２３５５７０号は、第３の管によって物理的に結合される発光ダイオードの線形アレイを含む２つの管を備える、発光デバイスを開示している。第３の管は、発光ダイオードの線形アレイを含む。発光デバイスの第１の管、第２の管、及び第３の管は、光軸に垂直な平面内で文字「Ｕ」の形状を実質的に形成するように位置付けられる。第１の発光ダイオードの線形アレイは、発光ダイオード間の平均間隔を有し、平均間隔に対する発光ダイオードの第１の短辺の寸法の比は、１〜３である。
【００１０】
ＵＳ ２０１５／０３４５７５５号は、ＬＥＤ線形ランプアセンブリを開示している。このアセンブリは、２つのＬＥＤ線形ランプセクションを有し、各ＬＥＤ線形ランプセクションは、内部に空間を規定するベース部に接続する透明又は半透明のカバーを有する細長いチューブを有する。間隔をあけて配置される複数のＬＥＤ及び電気コネクタを有する回路基板が空間内に配置される。２つのＬＥＤ線形ランプセクションの第１の端部には電源接続用のピンがあり、電気コネクタは、各ＬＥＤ線形ランプセクションの第２の端部付近に位置する。２つのＬＥＤ線形ランプセクションをそれらの第２の端部において機械的に接続し保持するためのジョイナユニットが設けられている。２つのＬＥＤ線形ランプセクションが電気的接続を確立するためにそれらの第２の端部で接続される場合、ＬＥＤ線形ランプアセンブリは完成する。
【課題を解決するための手段】
【００１１】
本発明は、特許請求の範囲によって規定される。
【００１２】
本発明の一態様による例によれば、
ＬＥＤドライバユニットと、
ＬＥＤドライバユニットから外方に延びる直線状の第１の支持アーム(support arm)であって、第１の支持アームがＬＥＤドライバユニットに接続する側の近位の(proximal)第１の端部と、遠位の(remote)第２の端部とを有する、第１の支持アームと、
第１の支持アームに設けられる第１のＬＥＤ構成(LED arrangement)と、
ＬＥＤドライバユニットから外方に延びる直線状の第２の支持アームであって、第２の支持アームがＬＥＤドライバユニットに接続する側の近位の第１の端部と、遠位の第２の端部とを有し、第１の支持アームの第1の端部及び第２の支持アームの第１の端部は離間している、第２の支持アームと、
第２の支持アームに設けられる第２のＬＥＤ構成と、
第１の支持アームの遠位の第２の端部及び第２の支持アームの遠位の第２の端部間の接続セクションであって、第１の支持アーム及び第２の支持アーム間の機械的接続、並びに、第１のＬＥＤ構成及び第２のＬＥＤ構成間の電気的接続を提供する、接続セクションと、
を備える、ＬＥＤ照明器具が提供される。
【００１３】
この構成は、ＬＥＤ構成が、直線状の（ゆえに低コストの）セクションで形成されるフレームタイプの構造に形成され、これらセクション間の電気的及び機械的接続が、接続セクションによってなされる、モジュラー照明器具デザインを提供する。フレーム構造は、ドライバユニットと共に閉じた形状(closed shape)を形成し、強度と剛性を与える。フレームは、冷却を助けるオープン構造(open structure)を提供する。支持アームは、ヒートシンク及び支持構造の両方として機能する。フレームデザインは、モジュラーデザインを可能にするだけではなく、所要の冷却を実現するために使用される材料が少なくて済むことを意味する。
【００１４】
第１の支持アーム及び第２の支持アームは、例えば、それらの長さに沿って一定の断面形状を有する。これは、これら支持アームが、低コストで製造され得ることを意味する。また、同じ製造装置が、異なる長さの支持アームを形成するために使用されてもよい。
【００１５】
第１及び第２の支持アームは、例えば、押出金属(extruded metal)で形成される。これは、例えば従来のダイキャストと比較して、とりわけ低コストの解決策を提供する。第１及び第２の支持アームは、押出アルミニウム(extruded aluminum)で形成されてもよい。
【００１６】
接続セクションは、支持アーム間にフィットする少なくとも１つのアダプタエルボ(adapter elbow)を備えてもよい。
【００１７】
アダプタエルボは、両側(opposite sides)において支持アーム間の結合を提供する。最低限、２つの支持アーム間に１つのアダプタエルボがあるだけで、ＬＥＤドライバユニットと共に、三角形のフレーム形状が形成される。しかしながら、（異なる長さの）支持セクション及びエルボは、異なる状況のために異なる照明器具デザインを作成するために使用され得るモジュラーシステムを形成してもよい。複数のエルボ及び３つ以上の支持アームがあってもよく、多くの異なるフレーム形状を形成することが可能である。第１の支持アーム及び第２の支持アームの少なくとも１つは、アダプタエルボ内で回転可能であり、アダプタエルボ及びＬＥＤドライバユニットへの電気的接続は、相対的な回転を可能にする。斯くして、光出力方向が、調整可能であってもよい。
【００１８】
少なくとも１つのアダプタエルボは、例えば、射出成形プラスチックハウジング又はダイキャスト金属ハウジングを備える。
【００１９】
これは、例えば屋外照明器具での使用のために、内部電気接続の保護を提供する。
【００２０】
一例では、接続セクションは、２つのアダプタエルボと、２つのアダプタエルボ間に延びる直線状の第３の支持アームとを備え、第３のＬＥＤ構成が、第３の支持アームに設けられる。斯くして、第１のＬＥＤ構成及び第２のＬＥＤ構成間の電気的接続は、直接ではなく、第３のＬＥＤ構成を介してなされる。この場合、３つの支持アームは、ＬＥＤドライバユニットと共に、対流によって冷却するための空間として働く中央開口部を有する、矩形又は台形の形状を形成する。
【００２１】
各ＬＥＤ構成は、例えば、ＬＥＤのアレイを備え、レンズが各ＬＥＤの上にある又はレンズプレートがＬＥＤのアレイの上にある。
【００２２】
レンズは、ある配光のためのビームシェーピング又はステアリングを提供するために使用される。
【００２３】
レンズ又はレンズプレートは、押出構造を有してもよい。これは、レンズのための低コストの解決策を提供する。各ＬＥＤのためのレンズがあってもよく、又は、押出レンズプレートがＬＥＤの列を覆ってもよい。
【００２４】
レンズは、例えば、シリコンシールを使用してＬＥＤ構成の上に取り付けられる。これは、ＬＥＤ構成への侵入保護(ingress protection)を提供する。
【００２５】
第１の支持アーム及び第２の支持アームは、共通平面内に位置してもよく、第１のＬＥＤ構成及び第２のＬＥＤ構成は各々、平面に垂直な方向から角度方向に離間した(angularly spaced)主光出力方向(principle light output direction)を有してもよい。
【００２６】
（支持体の平面に対して垂直な）従来の向きから偏向された光出力を提供することにより、光分布が、調整されてもよい。これは、例えば、１つの平面内でのみビームシェーピングを可能にする、押出レンズの使用を支援する。支持アームによって形成される形状及びＬＥＤ構成の向きは共に、光出力特性を定義するために使用される。
【００２７】
光出力方向はまた、照明器具が所望の光出力分布を提供するように構成され得るように調節可能であってもよい。これは、例えば、対応する支持アームをその細長軸(elongate axis)を中心に回転させることによって達成されてもよい。
【００２８】
ある用途では、照明器具は、道路灯照明器具(road lighting luminaire)を含む。ＬＥＤドライバユニットは、ドライバ回路を収容するハウジングを備え、ハウジングは、ランプポスト固定ユニット(lamp post fixing unit)を備える。
【００２９】
本発明はまた、
ＬＥＤドライバユニットと、
ＬＥＤ構成が支持アームに設けられる、直線状の支持アームのセットと、
隣接する支持アーム間の機械的接続及び隣接する支持アームのＬＥＤ構成間の電気的接続を提供するためのアダプタエルボのセットと、
を含む、モジュラー照明器具システムであって、
モジュラー照明器具システムは、上述の照明器具を作成する(create)ように構成可能である(configurable)、モジュラー照明器具システムを提供する。
【００３０】
このモジュラーシステムは、フレーム構造の異なるサイズ及び形状を有する、異なる可能な照明器具デザインを形成するために使用されてもよい。
【００３１】
直線状の支持アームの少なくとも１つは、その細長軸を中心に回転可能であってもよい。これは、光出力分布の調整を可能にする。
【００３２】
本発明のこれらの及び他の態様は、以下に述べられる実施形態を参照して明らかになり、解明されるであろう。
【図面の簡単な説明】
【００３３】
ここで、本発明の例が、添付の図面を参照して詳細に述べられる。
【図１】照明器具を上方からの斜視図で示す。
【図２】図１の照明器具を下方からの斜視図で示す。
【図３】レンズ構成を示す。
【図４】照明器具からの光出力分布を示す。
【図５】照明器具によって形成されるいくつかの代替的なフレーム形状を示す。
【発明を実施するための形態】
【００３４】
本発明が、図を参照して述べられる。
【００３５】
詳細な説明及び特定の例示は、装置、システム及び方法の例示的な実施形態を示すものであるが、説明のみを目的としたものであり、本発明の範囲を限定することを意図したものではないことが理解されるべきである。本発明の装置、システム及び方法のこれら及び他の特徴、態様及び有利な点は、以下の説明、添付の特許請求の範囲、及び添付の図面からよりよく理解されることになるであろう。図面は単に概略的なものであり、縮尺通りに描かれていないことを理解されたい。同じ参照番号は、図面全体にわたって同じ又は類似の部分を示すために用いられることも理解されたい。
【００３６】
本発明は、各々がＬＥＤ構成を担持する直線状のアームと、これら支持アーム間の機械的接続及びこれらアームのＬＥＤ構成間の電気的接続を提供する接続部から形成されるフレーム形状を有する、ＬＥＤ照明器具を提供する。フレーム形状は、対流により冷却を助ける中央開口部を有し、低コストの押出プロセスを用いて製造されることができる。
【００３７】
図１は、照明器具を上方からの斜視図で示し、図２は、図１の照明器具を下方からの斜視図で示す。
【００３８】
図１に示されるように、照明器具は、ドライバユニット１１内のＬＥＤドライバ１０を備える。ドライバユニット１１は、ドライバユニット１１から外方に延びる直線状の第１の支持アーム１２に接続する。第１の支持アーム１２は、第１の支持アーム１２がＬＥＤドライバユニット１１に接続する側の近位の第１の端部１４と、遠位の第２の端部１６とを有する。第１のＬＥＤ構成は、下方に向けて、第１の支持アーム１２に設けられ、それゆえ図１では見えない。
【００３９】
直線状の第２の支持アーム２０が、ＬＥＤドライバユニット１１から外方に延び、第２の支持アーム２０がＬＥＤドライバユニット１１に接続する側の近位の第１の端部２２と、遠位の第２の端部２４とを有する。第１の端部１４、２２は、中央開口部２５が形成されるように離間している。第２のＬＥＤ構成は、下方に向けて、第２の支持アーム２０に設けられ、それゆえ図１では見えない。
【００４０】
接続セクション３０が、第１及び第２の支持アームの遠位の第２の端部１６、２４間に設けられている。これは、第１及び第２の支持アーム１２、２０間の機械的接続、並びに、第１及び第２のＬＥＤ構成間の電気的接続を提供する。
【００４１】
中央開口部２５は、三角形であってもよく、この場合、接続セクション３０は、（鋭角を形成する）Ｕベンドコネクタの形態である。図１は、代わりに、矩形（又は実際にはわずかに台形）の中央開口部を示している。斯くして、接続セクション３０は、２つの９０度に近いエルボ３２と、それらの間の第３の支持アーム３４とを備える。第３のＬＥＤ構成は、下方に向けて、第３の支持アーム３４に設けられ、それゆえ図１では見えない。
【００４２】
支持アームは任意の長さに製造されてもよく、ゆえに、標準的なエルボのセットが、モジュラー照明器具デザインを定義するために使用されてもよい。フレームタイプの構造は、直線状及び低コストのセクションから形成され、これらセクション間の電気的及び機械的接続が、標準的なエルボコネクタのセットによってなされる。支持アームは、支持されるＬＥＤ構成のためのヒートシンク及び支持構造の両方として機能する。フレームデザインは、モジュラーデザインを可能にするだけではなく、所要の冷却を実現するために使用される材料が少なくて済むことを意味する。また、ソリッドデザイン(solid design)と比較して、風の抵抗も低い。
【００４３】
支持アームは、好ましくは、その長さに沿って一定の断面形状を有し、これは、押出プロセスによって製造されることができることを意味する。支持アームは、例えば、押出アルミニウムで形成される。
【００４４】
エルボは、例えば、射出成形プラスチックハウジング又はダイキャスト金属ハウジングを備えてもよい。エルボは、とりわけ屋外照明器具のために重要である、内部電気接続の保護を提供する。
【００４５】
ドライバユニット１１は、外部ハウジング４４内に、ＬＥＤドライバ、例えば、ＡＣ−ＤＣ変換を行うスイッチモード電源を備える。外部ハウジング４４は、例えば、ライトポールへの取付け用の固定具４６を有する。照明器具が取り付けられるライトポールの端部は、例えば、水平面内に延びており、使用時には、支持アームのフレームの平面は、例えば、水平方向に向けられた平面内にある。
【００４６】
図２は、第１、第２及び第３の支持アーム１２、２０、３４のそれぞれの第１、第２及び第３のＬＥＤ構成１８、２６、３６を示している。各ＬＥＤ構成は、ＬＥＤ４０のアレイを含む。例えば、単一のＬＥＤ４０の列が、各支持アームに取り付けられてもよい。レンズが、ビームシェーピング及び／又はステアリングを提供するために各ＬＥＤに関連付けられる。
【００４７】
押出支持アームデザインは、ダイキャストよりも薄い。さらに、材料の熱伝導率がより良好である。支持アームはフレーム構造を形成するために離間しているため、熱対流が改善され、これはさらに、放熱に必要な表面積を減らす。全体的に、ヒートシンクは、ダイキャストデザインよりも小さく、軽量である。さらに、押出プロセスのための金型投資は、ダイキャストよりもはるかに低い。照明器具に異なるルーメンパッケージ又はパワーレベルが必要とされる場合、ＬＥＤのピッチ又はハウジングの長さが調整される必要しかない。金型調整又は投資はそれほど必要とされず、これはさらに、ポートフォリオマネージメント及び生産コストを減らすことができる。
【００４８】
図３は、レンズデザインの一例を、図３（ａ）において側面図で、及び、図３（ｂ）において長さ方向に垂直な断面図で示している。共有レンズプレート４２が、ＬＥＤ４０の列の上にある。レンズプレートは、その長さに沿って一定の断面を有し、ゆえに、押出コンポーネントとして形成されてもよい。これは、ビームシェーピングが１つの平面（図３の右側の断面平面）でのみ可能であることを意味する。代わりに、各ＬＥＤのためのレンズがあってもよいが、個々のレンズは、依然として押出コンポーネントであってもよい。代わりに、従来のピーナッツ射出成形レンズが使用されてもよい。
【００４９】
レンズ又はレンズプレート４２は、ＬＥＤ構成への侵入保護を提供するためにシリコンシールを使用してＬＥＤ構成の上に取り付けられる。押出レンズデザインは、ＬＥＤ４０がより密に離間して配置されることができることを意味し、これは、デザインをよりコンパクトにする。
【００５０】
図４は、照明器具の上方からの図を示す。図４は、光出力分布４４を示し、これは、例えば、街灯の下の道路を照らす光であってもよい。
【００５１】
ＬＥＤ構成は、所望の配光全体をカバーするために異なる角度で配置される。配光を変更するために変えられ得るパラメータは、所望の配光を達成するために、側部支持アームの長さＸ、端部支持アームの長さＷ、台形形状のフレームを形成する角度α、回転角度β（側部用）及び回転角度γ（端部用）がある。斯くして、全体として、目標とする配光を得るために調整されることができる５つのパラメータが存在する。
【００５２】
回転角度は、第１及び第２のＬＥＤ構成が、フレーム形状の平面に垂直な方向から角度方向に離間した主光出力方向を有することを意味する。図４に示されるように、回転は、下の路面上により大きなビーム形状を形成するために主光出力方向がフレーム形状から離れることを意味する。このようにして光出力分布を調整する性能(ability)は、図３に示されるような単純な押出レンズの使用を可能にする。光出力方向が調整可能であってもよく、すなわち、設置時に角度β及びγが設定されてもよい。これは、単純にエルボ内及びドライバユニット１１に接続する場所で支持アームを回転させることを含んでもよい。この回転は、支持アームの細長軸を中心とする。斯くして、エルボへの及びドライバユニットへの電気的接続は、相対的な回転を可能にする。
【００５３】
照明器具デザインは、モジュラー照明器具システムから作成されてもよい。モジュラーシステムは、１つ以上のドライバユニットのデザインと、直線状の支持アームのセットと、ＬＥＤ構成のセットと、アダプタエルボのセットとを有する。
【００５４】
このモジュラーシステムは、フレーム構造の異なるサイズ及び形状を有する、異なる可能な照明器具デザインを形成するために使用されてもよい。照明器具の異なるルーメンパッケージ又はパワーレベルが特定の製品のために必要とされる場合、ＬＥＤの特定のピッチ又はハウジング及びレンズの長さが選択されてもよい。新たな金型投資は必要とされず、アダプタ及び他のコンポーネントは再利用されることができる。
【００５５】
上述したように、支持アームは、押出アルミニウムとして形成されてもよい。代わりに、支持アームは、ベンディング、スタンピング等の他の方法によって製造されてもよい。ＬＥＤ構成を担持するＰＣＢが、ヒートシンクとして機能する支持アームに接着又はねじ止めされてもよい。レンズは、光学カバーとして機能し、モジュールの完全なハウジングを形成するために支持アームに接着されてもよい。フレームは、エルボ及び支持アームを使用して形成され、ドライバが含まれるドライバユニットにアセンブルされる。その後、ドライバユニットは、ライトポールに固定される。
【００５６】
上述したように、モジュラーデザインは、異なるフレーム形状が形成されることを可能にする。図５は、
２つの支持アーム及び１つのエルボのみを有し、エルボが１８０°−２α度の角度を有する三角形の開口部、
２つのエルボの各々が１８０°−α度の角度を有する台形形状の開口部、
９０度のエルボを有する矩形の開口部、及び
１２０度のエルボを有する五角形の開口部、
の４つの例を示している。
【００５７】
例として、２つの主（側部）支持アームの長さは、数十ｃｍのオーダー、例えば、６０ｃｍ〜８０ｃｍの範囲であってもよい。
【００５８】
また、第３の支持アームの長さは、数十ｃｍのオーダー、例えば、２０ｃｍ〜５０ｃｍの範囲であってもよく、フレーム形状が矩形から台形に偏位する度合いを定義する角度αは、４５度〜９０度の範囲であってもよい。
【００５９】
ＬＥＤは、例えば、支持アームに設けられるプリント回路基板上に担持されるディスクリートＬＥＤチップとして形成される。プリント回路基板は、単純な定型の形状を有することができる。ＬＥＤチップは、例えば、２ｍｍ〜１０ｍｍの範囲の距離を隔てて配置される。
【００６０】
各ＬＥＤチップは、例えば、０．５Ｗ〜２Ｗの範囲の電力を有し、典型的に、各支持アーム上には６０〜１５０の範囲のＬＥＤが存在する。
【００６１】
本発明の街路灯としての使用の一例が上記に与えられている。しかしながら、本発明は、ハイベイ(high bay)照明器具等、上述のモジュール化されたフレーム構造によって配光が生成され得る他のハイパワー照明器具にも広く関心がある。
【００６２】
図面、本開示、及び添付の請求項の検討によって、開示される実施形態に対する他の変形形態が、当業者により理解されることができ、また、特許請求される発明を実施する際に実行されることができる。請求項では、単語「含む（comprising）」は、他の要素又はステップを排除するものではなく、不定冠詞「１つの（a）」又は「１つの（an）」は、複数を排除するものではない。特定の手段が、互いに異なる従属請求項内に列挙されているという単なる事実は、これらの手段の組み合わせが、有利に使用され得ないことを示すものではない。請求項中のいかなる参照符号も、範囲を限定するものとして解釈されるべきではない。
【図１】
2021510915.tif 000003
【図２】
2021510915.tif 000004
【図３（ａ）】
2021510915.tif 000005
【図３（ｂ）】
2021510915.tif 000006
【図４】
2021510915.tif 000007
【図５】
2021510915.tif 000008
【国際調査報告】
2021510915.tif 000009
2021510915.tif 000010
2021510915.tif 000011